(57)【要約】【課題】  垂直辺部の側面に連結用板片を係止する係止機構を備えた天井板用吊持杆にあって、連結用板片を簡単に取り付け得る係止機構を提供する。【解決手段】    係止機構を、係止隆部２の下面に長手方向に沿って形成された上部嵌合溝１０と、係止縁部３の上面に長手方向に沿って形成された突条１２と、該突条１２と垂直辺部４との間に長手方向に沿って形成される下部嵌合溝１１とで構成し、係止縁部３の上面に形成される突条１２を、その上面が略平坦な断面略伏コ字状とした。かかる構成では、連結用板片ｋを取り付ける際に連結用板片ｋの下端部を突条１２上面に当接し、該上面の案内作用を利用して、連結用板片ｋの下端部を下部嵌合溝１１に係入することができるため、連結用板片ｋを簡単に取り付けることができる。【選択図】  図４
0003109100.tif 000002
【実用新案登録請求の範囲】
【請求項１】
断面略逆Ｔ字状をなし、下部の水平辺部を、両側縁で夫々天井板の端部を支持する係止縁部とし、垂直辺部の上端にハンガーが固着される幅広の係止隆部を備えると共に、垂直辺部の側面に連結用板片を係止するための係止機構を有する天井板用吊持杆において、
前記係止機構は、
係止隆部の下面に長手方向に沿って形成された上部嵌合溝と、
係止縁部の上面に長手方向に沿って形成された突条と、
該突条と垂直辺部との間に長手方向に沿って形成される下部嵌合溝とからなるものであって、
係止縁部の上面に形成される前記突条が、その上面が略平坦な断面略伏コ字状をなしていることを特徴とする天井板用吊持杆。
【請求項２】
前記突条の上面は、垂直辺部に向かって０．５°乃至５°の角度で下り傾斜していることを特徴とする請求項１記載の天井板用吊持杆。
【考案の詳細な説明】
【技術分野】
【０００１】
本考案は、格子状に組み付けられて天井板を吊持する天井板用吊持杆に関するものである。
【背景技術】
【０００２】
図５，６で示すように、天井板用吊持杆ｆは、金属板を折曲げ加工してなる長尺材であり、断面が略逆Ｔ字状をなし、下部の水平部を、天井板ｐの端部を上面に支持する係止縁部ｇ，ｇとしている。一方、上端の幅広部を、ハンガーｊが固着される係止隆部ｉとしている。そして、この天井板用吊持杆ｆが、格子状に組み付けられ、多数の天井板ｐを整列状に支持して、室内の天井を構成する。また、従来の天井板用吊持杆ｆは、図６に示すように、垂直辺部ｈの側面に連結用板片ｋを係止するための係止機構が設けられており、この連結用板片ｋを介して、他の天井板用吊持杆ｆや固定材と連結するようになっている（例えば特許文献１）。
【０００３】
連結用板片ｋを係止する係止機構は、図６に示すように、係止隆部ｉの下面に長手方向に沿って形成された上部嵌合溝ｌ，ｌと、係止縁部ｇ，ｇの上面に長手方向に沿って形成された突条ｎ，ｎと、該突条ｎと垂直辺部ｈとの間に長手方向に沿って形成される下部嵌合溝ｍ，ｍとからなる。そして、天井板用吊持杆ｆに連結用板片ｋを取り付ける際には、図７に示すように、最初に連結用板片ｋの上端部を上部嵌合溝ｌに係入させる。そして、連結用板片ｋを、その上端部を中心として垂直辺部ｈ方向へ回動させて、連結用板片ｋの下端部を突条ｎの外側面に当接させ、天井板用吊持杆ｆと連結用板片ｋの撓みを利用して、該下端部を、突条ｎを乗り越えさせて下部嵌合溝ｍへ係入させることにより、連結用板片ｋを垂直辺部ｈの側面に係止するようにしている。
【０００４】
【特許文献１】特許第３１６１７８５号公報
【考案の開示】
【考案が解決しようとする課題】
【０００５】
ところで、従来の天井板用吊持杆ｆにあっては、突条ｎの上面は屈曲しており、その外側面に垂直辺部ｈから離れるほど低くなる斜面が形成されている。このため、図７に示すように、連結用板片ｋと突条ｎの当接状態で、該当接点Ｚにおける、連結用板片ｋの回動方向と突条ｎの外側面とのなす角度γが大きく、連結用板片ｋを取り付ける際に、連結用板片ｋと天井板用吊持杆ｆを大きく撓ませなくてはならず、取付けに強い力を要すると共に、取付時に連結用板片ｋや天井板用吊持杆ｆを塑性変形させてしまう場合もあった。
【０００６】
本考案は、かかる現状に鑑みてなされたものであり、垂直辺部の側面に連結用板片を簡単に取り付け得る係止機構を備えた天井板用吊持杆の提供を目的とする。
【課題を解決するための手段】
【０００７】
本考案は、断面略逆Ｔ字状をなし、下部の水平辺部を、両側縁で夫々天井板の端部を支持する係止縁部とし、垂直辺部の上端にハンガーが固着される幅広の係止隆部を備えると共に、垂直辺部の側面に連結用板片を係止するための係止機構を有する天井板用吊持杆において、前記係止機構は、係止隆部の下面に長手方向に沿って形成された上部嵌合溝と、係止縁部の上面に長手方向に沿って形成された突条と、該突条と垂直辺部との間に長手方向に沿って形成される下部嵌合溝とからなるものであって、係止縁部の上面に形成される前記突条が、その上面が略平坦な断面略伏コ字状をなしていることを特徴とする天井板用吊持杆である。
【０００８】
かかる構成にあっては、突条の上面が略平坦であるため、連結用板片を取り付ける際には、連結用板片の上端部を上部嵌合溝に係入させた後、その下端部を、突条の外側面ではなく上面に当接させ、かかる状態から、連結用板片を、その上端部を中心として回動させることにより、天井板用吊持杆と連結用板片を撓ませて、該下端部を下部嵌合溝へ係入させることが可能となる。このように、連結用板片を突条の上面に当接させてから下部嵌合溝に係入させる場合には、連結用板片を突条の外側面に当接させる場合よりも、連結用板片の回動方向と突条の当接面とのなす角度が小さくなるため、連結用板片を取り付ける際に、突条の当接面の案内作用によって、天井板用吊持杆と連結用板片を少しずつ撓ませていくだけで、連結用板片の下端部を下部嵌合溝まで回動し、連結用板片を天井板用吊持杆に係止することが可能となる。
【０００９】
本考案の天井板用吊持杆は、その突条の上面が完全に水平であっても連結用板片を好適に案内できるが、連結用板片を回動する方向は、突条との当接状態において、垂直辺部に向かって僅かに下方に傾斜している。このため、連結用板片の下端部をより円滑に案内するためには、突条の上面を垂直辺部側に僅かに下方傾斜させて、該上面と、連結用板片の回動方向とのなす角度をさらに小さくすることが望ましい。具体的に言えば、一般的な形状の天井板用吊持杆においては、突条の上面を、垂直辺部に向かって０．５°乃至５°の角度で下り傾斜させることが望ましい。
【考案の効果】
【００１０】
以上に述べたように、本考案は、係止機構が、上部嵌合溝と突条と下部嵌合溝とからなるものであって、突条が、その上面が略平坦な断面略伏コ字状をなしていることを特徴とする天井板用吊持杆であるから、連結用板片を取り付ける際に、連結用板片の下端部を、突条の外側面ではなく上面に当接させ、撓ませてから、下部嵌合溝に係入させることが可能となる。従って、本考案では、取付けの際に、連結用板片と天井板用吊持杆を従来よりも小さく撓ませるだけ済み、連結用板片を少ない力で取り付けできると共に、連結用板片と天井板用吊持杆が塑性変形し難いといった利点がある。
【００１１】
特に、上記構成にあって、突条の上面を、垂直辺部に向かって０．５°乃至５°の角度で下り傾斜させた場合には、突条上面に当接した連結用板片を、極めてスムーズに下部嵌合溝へ係入させることができる。
【考案を実施するための最良の形態】
【００１２】
本考案の実施形態を、以下の実施例に従って説明する。
【００１３】
本実施例の天井板用吊持杆１は、図１に示すように、スチール板材を断面略逆Ｔ字状に加工してなる長尺材であり、下部の水平辺部を、その水平上面で天井板ｐの端部を支持する係止縁部３としている。この係止縁部３は、スチール製板材の端部をそれぞれ内向きに巻回するようにして折曲加工されてなる。
【００１４】
また、係止縁部３から起立する垂直辺部４の上端には幅広部が形成され、これを係止隆部２としている。この係止隆部２には、ハンガーｊ（図５参照）が固着される。
【００１５】
天井板用吊持杆１は、例えば図２に示すように、垂直辺部４の側面に連結用板片ｋを係止することにより他の天井板用吊持杆１と連結できる。なお、連結用板片は従来構成のものを好適に用いることができる。すなわち、本実施例の天井板用吊持杆１は、図２に例示した他にも、既存構成の連結用板片を用いることにより、天井板用吊持杆１相互をＴ字状やＬ字状等に連結することが可能であり、また、天井板用吊持杆１を他の固定材に連結することもできる。
【００１６】
そして、この天井板用吊持杆１は、図５に示す従来の天井板用吊持杆ｆと同様に、格子状に組み付けられ、多数の天井板ｐを整列状に支持して、室内の天井を構成する。
【００１７】
連結用板片ｋを係止するための天井板用吊持杆１の係止機構は、図１，２に示すように、長尺方向に沿って設けられた上部嵌合溝１０，１０及び下部嵌合溝１１，１１、突条１２，１２とで構成される。これらは夫々垂直辺部４を挟んで対称位置に形成される。
【００１８】
上部嵌合溝１０，１０は、係止隆部２の下面の、垂直辺部４の両脇位置に形成される。この上部嵌合溝１０に、連結用板片ｋの上端部を係入させる。
【００１９】
突条１２，１２は係止縁部３の水平上面に形成され、この突条１２と垂直辺部４下部との間に、下部嵌合溝１１，１１が形成される。この下部嵌合溝１１は、上部嵌合溝１０と上下に対向する位置に設けられており、連結用板片ｋの下端部が係入する。突条１２は、後述するように、垂直辺部４と直交する方向から連結用板片ｋを取り付け可能とすると共に、取り付けた連結用板片ｋの下端部が下部嵌合溝１１から外れないように係止する。
【００２０】
以下に本考案の要部である突条１２の形状について説明する。突条１２は、図３に示すように、断面が略伏コ字状をなし、その上面が略平坦となっている。この突条１２は、当該部分のスチール板を折曲加工することにより形成される。そして、この突条１２の高さは、連結用板片ｋを取り付ける際に、上部嵌合溝１０に上端部を係入した連結用板片ｋの下端部が、該突条１２の上面と当接するように設定される。なお連結用板片ｋの高さは、上部嵌合溝１０と下部嵌合溝１１の直線距離に従うため、突条１２の高さは容易に決定できる。また、突条１２の上面は、連結用板片ｋの下端部が当接した際に、該下端部を下部嵌合溝１１へ円滑に案内できるように、約２．５°の角度で垂直辺部４に向けて下り傾斜しており、連結用板片ｋの回動方向とのなす角度が極めて小さくなるようになっている。
【００２１】
次に、実施例の天井板用吊持杆１への、連結用板片ｋの取り付け態様を説明する。図４に示すように、まず、連結用板片ｋの上端部を上部嵌合溝１０の奥まで係入する。そして、係入した上端部を中心として連結用板片ｋを垂直辺部４方向へ回動させて、その下端部を突条１２の上面に当接させる。さらに、かかる状態から、連結用板片ｋの下部を垂直辺部４方向へ押圧すると、連結用板片ｋが弾性変形しながら垂直辺部４よりに回動して突条１２の上面を通過して、その下部を下部嵌合溝１１に係入し、これにより、連結用板片ｋが、天井板用吊持杆１の垂直辺部４側面に対して、上下で係止されることとなる。
【００２２】
ここで、上述したように、本実施例では、突条１２の上面を略平坦としているため、連結用板片ｋの下端部と突条１２の上面との当接点Ｘにおいて、連結用板片ｋの回動方向と突条１２の上面のなす角度αが小さくなる。このため、連結用板片ｋを僅かに撓ませるだけで、該連結用板片ｋの下端部を当接点Ｘから下部嵌合溝１１まで回動させることができ、連結用板片ｋを従来よりも少ない力で取り付けできると共に、取付けの際に、連結用板片ｋや天井板用吊持杆１を塑性変形させることもない。
【００２３】
尚、本考案の天井板用吊持杆は、上記実施例の形態に限定されるものではなく、本考案の要旨を逸脱しない範囲内において種々変更を加え得ることは勿論である。例えば、従来の天井板用吊持杆には、その端部に連結用板片を一体成形したものがあるが、本考案はかかる構成を排除するものではない。
【図面の簡単な説明】
【００２４】
【図１】天井板用吊持杆１の縦断側面図である。
【図２】連結用板片ｋによって二つの天井板用吊持杆１を連結する一態様を示す説明図である。
【図３】図１のＡ部分の拡大図である。
【図４】天井板用吊持杆１に連結用板片ｋを取り付ける手順を示す説明図である。
【図５】従来の天井板用吊持杆ｆによる天井板ｐの組み付け状態を示す斜視図である。
【図６】従来の天井板用吊持杆ｆの使用状態を示す縦断側面図である。
【図７】従来の天井板用吊持杆ｆへ連結用板片ｋを取り付ける手順を示す説明図である。
【符号の説明】
【００２５】
１  天井板用吊持杆
２  係止隆部
３  係止縁部
４  垂直辺部
１０  上部嵌合溝
１１  下部嵌合溝
１２  突条
ｊ  ハンガー
ｋ  連結用板片
ｐ  天井板
【図１】
0003109100.tif 000003
【図２】
0003109100.tif 000004
【図３】
0003109100.tif 000005
【図４】
0003109100.tif 000006
【図５】
0003109100.tif 000007
【図６】
0003109100.tif 000008
【図７】
0003109100.tif 000009